(57)【要約】【課題】駆動回路基板面積の縮小による維持パルス波形のリンギング電圧上昇での輝度差や動作マージンの低下を抑制する。【解決手段】走査電極回路基板２１内の導体とは異なる導体２１ｃを有し、導体２１ｃはその始端および終端を配線２１ａ内の経路２１ａｂと接続される導体２１ｃａと、その始端および終端を配線２１ｂ内の経路２１ｂｂと接続される導体２１ｃｂにより構成される。導体２１ｃａと導体２１ｃｂとは各々の導体面が相対するように配置され、流れる電流２１ｃａｂと２１ｃｂｂは互いに逆行するように構成する。【選択図】図１
2010256398.tif 000002
【特許請求の範囲】
【請求項１】
プラズマディスプレイパネルと、
前記プラズマディスプレイパネルと外部配線を介して接続された回路基板であって、前記回路基板上に設けられた配線から前記外部配線を介して前記プラズマディスプレイパネルに駆動電流を供給する回路基板と、
前記配線とは別に設けられた配線用導体であって、前記配線用導体の始端及び終端が、前記配線の前記回路基板との接続端及び前記配線の前記外部配線との接続端と、それぞれ接続されている、配線用導体と、
を備えた、プラズマディスレイ装置。
【請求項２】
前記配線用導体は、負の相互インダクタンスを有するように構成されていることを特徴とする請求項１に記載のプラズマディスプレイ装置。
【請求項３】
前記配線用導体は、互いに平行に延在する２つ以上の導体によって構成されていることを特徴とする請求項１又は２に記載のプラズマディスプレイ装置。
【請求項４】
前記配線用導体は、互いに平行に延在する２つの前記導体間において、流れる電流が互いに逆方向となるように構成されることを特徴とする請求項３に記載のプラズマディスプレイ装置。
【請求項５】
前記配線用導体は、互いに平行に延在する２つ以上の偶数の導体によって構成されていることを特徴とする請求項２に記載のプラズマディスプレイ装置。
【請求項６】
前記配線用導体を構成する、互いに平行に延在して隣接する２つの前記導体間の距離は、１０ｍｍ以内であることを特徴とする請求項３又は５に記載のプラズマディスプレイ装置。
【請求項７】
前記配線用導体は、互いに平行に延在する前記２つの導体間に絶縁物を有することを特徴とする請求項６に記載のプラズマディスプレイ装置。
【請求項８】
前記配線用導体は、２層以上の多層基板によって構成されることを特徴とする請求項７に記載のプラズマディスプレイ装置。
【請求項９】
前記配線は、前記回路基板から前記外部配線の方向に電流が流れる第１の配線と、前記外部配線から前記回路基板の方向に電流が流れる第２の配線とを含み、
前記配線用導体は、互いに平行に延在する前記２つの導体のうち、一方の導体の始端及び終端が、前記第１の配線の前記回路基板との接続端及び前記第１の配線の前記外部配線との接続端間と、それぞれ接続されており、他方の導体の始端及び終端が、前記第２の配線の前記外部配線との接続端及び前記第１の配線の前記回路基板との接続端間と、それぞれ接続されていることを特徴とする請求項３に記載のプラズマディスプレイ装置。
【請求項１０】
前記回路基板は、前記配線用導体の始端及び終端間に接続された導体を有することを特徴とする請求項２に記載のプラズマディスプレイ装置。
【請求項１１】
前記配線用導体の始端及び終端間のインピーダンスは、前記配線の前記回路基板との接続端及び前記配線の前記外部配線との接続端間のインピーダンスより小さいことを特徴とする請求項２に記載のプラズマディスプレイ装置。
【請求項１２】
前記配線用導体の始端および終端間の導体抵抗は、前記配線の前記回路基板との接続端及び前記配線の前記外部配線との接続端間の導体抵抗より小さいことを特徴とする請求項１０に記載のプラズマディスプレイ装置。
【請求項１３】
前記配線用導体は、前記配線用導体の始端及び終端間と相対する、前記配線の前記回路基板との接続端及び前記配線の前記外部配線との接続端間において、負の相互インダクタンスを有するように構成されていることを特徴とする請求項１に記載のプラズマディスプレイ装置。
【請求項１４】
前記配線用導体は、折り返し部を有するように構成されていることを特徴とする請求項２に記載のプラズマディスプレイ装置。
【請求項１５】
前記配線用導体は、前記折り返し部を挟む両側の導体間において、互いに流れる電流が逆となるように構成されることを特徴とする請求項１４に記載のプラズマディスプレイ装置。
【請求項１６】
前記配線用導体は、前記折り返し部を介して互いに平行に延在する２つ以上の導体により構成され、平行に延在して隣接する２つの前記導体間の距離が１０ｍｍ以内であることを特徴とする請求項１５に記載のプラズマディスプレイ装置。
【請求項１７】
前記配線用導体は、互いに平行に延在する２つの前記導体間に絶縁物を有することを特徴とする請求項１６に記載のプラズマディスプレイ装置。
【請求項１８】
前記配線用導体は、２層以上の多層基板によって構成されていることを特徴とする請求項１７に記載のプラズマディスプレイ装置。
【発明の詳細な説明】
【技術分野】
【０００１】
本発明は、壁掛けテレビや大型モニターに用いられるプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（放電のための起爆剤＝励起粒子）を発生させる。書込み期間では、表示を行うべき放電セルに選択的に書込みパルス電圧を印加して書込み放電を発生させ壁電荷を形成する。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００５】
図９は、このような構成のパネルを用いたプラズマディスプレイ装置において、主要回路基板の配置の概略を示している。パネル１０の一方の走査電極群１１にはフレキシブル接続基板４１を介して走査電極駆動回路基板２１が接続され、他方の維持電極群１２にはフレキシブル接続基板４２を介して維持電極駆動回路基板３１が接続されている。
【０００６】
このプラズマディスプレイ装置においては、走査電極駆動回路基板２１と維持電極駆動回路基板３１から交互に維持パルス電圧を出力し、図１１に示すように走査電極群１１と維持電極群１２に維持パルスを印加してパネル１０に駆動電流を供給している。この維持パルスは、たとえば図１０に示される回路により供給される。
【０００７】
この維持期間にパネル１０に流れる駆動電流は、たとえば図１１に示すような電流である。特に放電時の電流の総電流は非常に大きく（例えば４２インチクラスでは１５０〜２００Ａ）、また非常に急峻で時間幅の短い電流である(電流時間変化率が大きい。)。そのため、この大きな駆動電流が流れることにより、走査電極駆動回路基板２１や維持電極駆動回路基板３１内部の配線パターンによって構成されるわずかな寄生インダクタンスであっても、その寄生インダクタンスの両端には大きなリンギング電圧が発生する。このリンギング電圧が大きいと、パネル１０の各セル間に印加される電圧のばらつきが大きくなり、パネル１０の動作マージンが狭くなることがある。
【０００８】
図１２は、従来例の走査電極駆動回路基板２１の維持パルス発生回路の基板実装を示す図である。ヒートシンク２１３に維持パルスを発生させるスイッチ素子ＳＷ２１１、ＳＷ２１２が実装される。初期化期間や書込み期間に必要な電圧発生回路は２１４に実装される（具体的回路は図示していない）。図１２（ａ）は、走査電極駆動回路基板２１の表面配線の一部を示している。スイッチ素子ＳＷ２１１からの駆動電流は、配線２１ａ内を経路２１ａａおよびフレキシブル接続基板４１１を経由し、また経路２１ａｂおよびフレキシブル接続基板４１２を経由して走査電極群１１に供給される。このとき経路２１ａｂは経路２１ａａに比較してスイッチ素子ＳＷ２１１からの距離が長いため、配線による寄生インダクタンスが大きくなる。この大きな寄生インダクタンスのために発生する電圧リンギングが大きくなり、その結果、走査電極群１１に印加される電圧リンギングは大きくなる。このため経路２１ａｂを経由する側のパネル１０の輝度は、経路２１ａａを経由する側に比較して高くなりパネル１０の輝度段差を発生させる。
【０００９】
これに対して、駆動電流を流すための配線パターンと対向するように形成された配線パターンに駆動電流と逆方向の電流を流すことで、配線パターンの実効インダクタンスを低減する技術が開示されている（例えば、特許文献１参照。）。
【００１０】
図１２（ｂ）は、走査電極駆動回路基板２１の裏面配線の一部を示している。なお、図１２（ｂ）では表面からの透視図として描いているが、裏面配線および経路２１ｂａおよび経路２１ｂｂは実線で示している。配線２１ｂは表面配線２１ａに対して対向するように配置されている。スイッチ素子ＳＷ２１１から流れる駆動電流は上述のように走査電極群１１に流れ、パネル１０および維持電極群１２およびフレキシブル接続基板４２および維持電極駆動回路基板３１内に実装されるスイッチ素子ＳＷ３１２およびシャーシを経由して配線２１ｂ内の経路２１ｂａおよび経路２１ｂｂを通りスイッチ素子ＳＷ２１２のＧｎｄに流れる。このとき配線２１ａ内の経路２１ａａおよび経路２１ａｂを流れる電流と配線２１ｂ内の経路２１ｂａおよび経路２１ｂｂを流れる電流は同一電流であるが、流れる方向が逆になっている。そのため配線２１ａと配線２１ｂとの間には負の相互インダクタンスが発生し、実際のインダクタンスが大きく減少することで、双方のリンギング電圧の差が小さくなりパネル１０の輝度段差は解消される。
【００１１】
また同様に、長い配線経路に対して配線層とは別の層に渦電流パターンを設けたり、配線パターンを折り返し構造にすることで配線パターンの実効インダクタンスを低減する技術が開示されている（例えば、特許文献２参照。）。
【先行技術文献】
【特許文献】
【００１２】
【特許文献１】特開２００４−３４７６２２号公報
【特許文献２】特開２００１−３５８４１２号公報
【発明の概要】
【発明が解決しようとする課題】
【００１３】
しかしながら、特許文献１に開示されている駆動電流を流すための配線パターンと対向するように形成された配線パターンに駆動電流と逆方向の電流を流す技術や、特許文献２に開示されている配線層とは別の層に対向する渦電流パターンを設ける技術の場合、互いに対向する面積が大きいほど効果が大きい。また流れる駆動電流が大きいため配線抵抗での損失を低減するためにも、配線パターン面積が大きくなる。
【００１４】
そのため図１３に示すように走査電極駆動回路基板２１の基板面積を削減する場合（破線外形から実線外形に縮小）、駆動電流が流れる配線２１ａおよび２１ｂの面積が少なくなると同時に対向する面積が少なくなり、特に配線の長い２１ａｂの寄生インダクタンスは負の相互インダクタンスが極端に減少した分だけ増加し、配線２１ａａの寄生インダクタンスより大きくなり、パネル１０の輝度段差が発生する。そのため、駆動回路基板小型化のための基板面積削減が困難になる課題がある。
【００１５】
また、特許文献２に開示されている配線パターンを折り返し構造にする技術の場合についても、折り返し構造にすることで配線パターンの面積が大きくなる。また、配線パターンが長くなり配線抵抗が大きくなるため、駆動回路基板小型化のための基板面積削減が困難になる課題がある。
【００１６】
また互いに対向する配線パターンの距離が近いほど、実効インダクタンスの低減効果が大きいため、２層以上の多層基板が必要となる。
【００１７】
本発明は、上記課題に鑑みてなされたものであり、駆動電流を供給する回路基板の面積を大きくすることなく、また高価な多層基板を使用しなくても、配線パターンの寄生インダクタンスを実質的に低減することが可能で、配線パターンの配線差によるパネルの輝度段差がなく、またパネルの動作マージンが大きいプラズマディスプレイ装置を提供することを目的とする。
【課題を解決するための手段】
【００１８】
本発明に係るプラズマディスプレイ装置は、プラズマディスプレイパネルと、
前記プラズマディスプレイパネルと外部配線を介して接続された回路基板であって、前記回路基板上に設けられた配線から前記外部配線を介して前記プラズマディスプレイパネルに駆動電流を供給する回路基板と、
前記配線とは別に設けられた配線用導体であって、前記配線用導体の始端及び終端が、前記配線の前記回路基板との接続端及び前記配線の前記外部配線との接続端と、それぞれ接続されている、配線用導体と、
を備えたことを特徴とする。
【００１９】
これにより、駆動電流を供給する回路基板の面積を大きくすることなく、また高価な多層基板を使用しなくても、配線パターンの寄生インダクタンスを実質的に低減することが可能となる。さらに、配線パターンの配線差によるパネルの輝度段差の解消やパネルの動作マージンを改善することができる。
【００２０】
また、前記配線用導体は、負の相互インダクタンスを有するように構成されていることが好ましい。これによって、配線パターンの実効インダクタンスをさらに低減できる。
【００２１】
また、前記配線用導体は、互いに平行に延在する２つ以上の導体によって構成されていてもよい。
【００２２】
また、前記配線用導体は、互いに平行に延在する２つの前記導体間において、流れる電流が互いに逆方向となるように構成されてもよい。これによって、この互いに平行に延在する導体の各々に負の相互インダクタンスが発生し、各導体の実効インダクタンスがさらに低減されるため、駆動電流によるリンギング電圧が減少しパネルの輝度段差の解消やパネルの動作マージンを改善することができる。
【００２３】
また、前記配線用導体は、互いに平行に延在する２つ以上の偶数の導体によって構成されてもよい。これにより、互いに流れる電流が逆となることで発生する負の相互インダクタンスの効果を増加させることができる。
【００２４】
また、前記配線用導体を構成する、互いに平行に延在して隣接する２つの前記導体間の距離は、１０ｍｍ以内であるのが望ましい。
【００２５】
また、前記配線用導体は、互いに平行に延在する前記２つの導体間に絶縁物を有する構成としてもよい。これにより、互いに流れる電流が逆方向となる導体間の距離を近接させることができ、負の相互インダクタンスをさらに増加させることができる。
【００２６】
また、前記配線用導体は、２層以上の多層基板によって構成されてもよい。
【００２７】
また、前記配線は、前記回路基板から前記外部配線の方向に電流が流れる第１の配線と、前記外部配線から前記回路基板の方向に電流が流れる第２の配線とを含んでもよい。この場合に、前記配線用導体は、互いに平行に延在する前記２つの導体のうち、一方の導体の始端及び終端が、前記第１の配線の前記回路基板との接続端及び前記第１の配線の前記外部配線との接続端間と、それぞれ接続されていてもよい。さらに、他方の導体の始端及び終端が、前記第２の配線の前記外部配線との接続端及び前記第１の配線の前記回路基板との接続端間と、それぞれ接続されていてもよい。
【００２８】
また、前記回路基板は、前記配線用導体の始端及び終端間に接続された導体を有する構成としてもよい。
【００２９】
また、前記配線用導体の始端及び終端間のインピーダンスは、前記配線の前記回路基板との接続端及び前記配線の前記外部配線との接続端間のインピーダンスより小さくする構成が望ましい。これにより、回路基板内の始端および終端間の導体インピーダンスを大幅に低減することが可能となる。そのため、駆動電流によるリンギング電圧が減少しパネルの輝度段差の解消やパネルの動作マージンを改善することができる。
【００３０】
また、前記配線用導体の始端および終端間の導体抵抗は、前記配線の前記回路基板との接続端及び前記配線の前記外部配線との接続端間の導体抵抗より小さくする構成が望ましい。これにより、回路基板内の始端および終端間の導体抵抗を大幅に低減することが可能となり、駆動電流による電圧降下が低減できる。
【００３１】
また、前記配線用導体は、前記配線用導体の始端及び終端間と相対する、前記配線の前記回路基板との接続端及び前記配線の前記外部配線との接続端間において、負の相互インダクタンスを有するように構成されていることが望ましい。これにより、回路基板内の始端および終端間の実効インダクタンスを大幅に低減することが可能となり、駆動電流によるリンギング電圧が減少しパネルの輝度段差の解消やパネルの動作マージンを改善することができる。
【００３２】
また、前記配線用導体は、折り返し部を有するように構成されてもよい。これにより、配線用導体の実効インダクタンスをさらに低減できる。
【００３３】
また、前記配線用導体は、前記折り返し部を挟む両側の導体間において、互いに流れる電流が逆となるように構成することが望ましい。これにより、配線用導体の実効インダクタンスがさらに低減されるので、回路基板内の始端および終端間の実効インダクタンスを大幅に低減することが可能となる。これにより、駆動電流によるリンギング電圧が減少しパネルの輝度段差の解消やパネルの動作マージンを改善することができる。
【００３４】
また前記配線用導体は、前記折り返し部を介して互いに平行に延在する２つ以上の導体により構成され、平行に延在して隣接する２つの前記導体間の距離が１０ｍｍ以内とすることが望ましい。
【００３５】
また、前記配線用導体は、互いに平行に延在する２つの前記導体間に絶縁物を有する構成としてもよい。
【００３６】
また、前記配線用導体は、２層以上の多層基板によって構成されていてもよい。この場合にも、配線用導体に負の相互インダクタンスが発生し、各導体の実効インダクタンスがさらに低減されるため駆動電流によるリンギング電圧が減少しパネルの輝度段差の解消やパネルの動作マージンを改善することができる。
【発明の効果】
【００３７】
本発明によれば、駆動電流を供給する回路基板の面積を大きくすることなく、また高価な多層基板を使用しなくても、配線パターンの寄生インダクタンスを実質的に低減することが可能で、配線パターンの配線差によるパネルの輝度段差がなく、またパネルの動作マージンが大きいプラズマディスプレイ装置を提供することが可能となる。
【図面の簡単な説明】
【００３８】
【図１】本発明の実施の形態１における走査電極駆動回路基板の維持パルス発生回路の基板実装例を示す図
【図２】本発明の実施の形態１における配線用導体の構成例を示す図
【図３】本発明の実施の形態１における走査電極駆動回路基板の維持パルス発生回路の他の基板実装例を示す図
【図４】本発明の実施の形態１における配線用導体の他の構成例を示す図
【図５】本発明の実施の形態１における配線用導体のさらに他の構成例を示す図
【図６】本発明の実施の形態１における配線用導体のさらに他の構成例を示す図
【図７】本発明の実施の形態２における走査電極駆動回路基板の維持パルス発生回路の基板実装例を示す図
【図８】本発明の実施の形態２における配線用導体の構成例を示す図
【図９】プラズマディスプレイ装置における主要回路基板の一般的な配置を示す図
【図１０】プラズマディスプレイ装置における維持パルス発生回路の一般的な構成を示す回路図
【図１１】プラズマディスプレイ装置における維持期間にパネルに印加される電圧電流の概略波形図
【図１２】プラズマディスプレイ装置における走査電極駆動回路基板の維持パルス発生回路の基板実装の従来例を示す図
【図１３】プラズマディスプレイ装置における走査電極駆動回路基板を縮小したときの維持パルス発生回路の基板実装の従来例を示す図
【発明を実施するための形態】
【００３９】
以下、本発明の実施の形態におけるプラズマディスプレイ装置について、添付図面を用いて説明する。
【００４０】
（実施の形態１）
図１は、本発明の実施の形態１に係るプラズマディスプレイ装置の走査電極駆動回路基板２１の維持パルス発生回路の基板実装例である。導体２１ｃは、走査電極駆動回路基板２１内の導体とは別個に設けられた配線用導体である。なお、従来例と同一の機能および動作を表す部分については、同一の符号を附して説明は省略する。図２は、配線用導体２１ｃの構成例を示す図である。この配線用導体２１ｃは、互いに平行に配置された２つの導体２１ｃａと導体２１ｃｂとで構成されている。導体２１ｃａは、その始端および終端を配線２１ａ内の経路２１ａｂと接続される導体であり、導体２１ｃｂは、その始端および終端を配線２１ｂ内の経路２１ｂｂと接続される導体である。導体２１ｃａｂおよび導体２１ｃｂｂは、各々導体２１ｃａおよび導体２１ｃｂを流れる電流の方向を示している。なお、導体２１ｃａと導体２１ｃｂとは各々の導体面が相対するように配置される。また導体２１ｃａと導体２１ｃｂの面積は電流が流れる経路２１ａａと経路２１ｂａの同等面積以上で構成され、導体２１ｃａと導体２１ｃｂが対向する面積も経路２１ａａと経路２１ｂａの対向する同等面積以上で構成される。
【００４１】
図１に示すように、スイッチ素子ＳＷ２１１からの駆動電流は、配線２１ａ内を経路２１ａａおよびフレキシブル接続基板４１１を経由し走査電極群１１に供給される。一方、経路２１ａｂを経由する経路は、経路２１ａｂだけでなく経路２１ａｂに接続される導体２１ｃａも経由してフレキシブル接続基板４１２に接続される。このとき導体２１ｃａを流れる電流２１ｃａｂは、図２に示す方向に流れる。走査電極群１１に供給された電流はパネル１０および維持電極群１２およびフレキシブル接続基板４２および維持電極駆動回路基板３１内に実装されるスイッチ素子ＳＷ３１２およびシャーシを経由して配線２１ｂ内の経路２１ｂａを通りスイッチ素子ＳＷ２１２のＧｎｄに流れる。また経路２１ｂｂを経由する経路は経路２１ｂｂだけでなく経路２１ｂｂに接続される導体２１ｃｂも経由してスイッチ素子ＳＷ２１２のＧｎｄに流れる。このとき導体２１ｃｂを流れる電流２１ｃｂｂは、図２に示す方向に流れる。
【００４２】
このとき配線２１ａ内の経路２１ａａおよび経路２１ａｂを流れる電流と配線２１ｂ内の経路２１ｂａおよび経路２１ｂｂを流れる電流は同一電流であるが、流れる方向が逆になる。そのため配線２１ａと配線２１ｂとの間には負の相互インダクタンスが発生し、実際のインダクタンスが大きく減少する。
【００４３】
また、経路２１ａｂおよび経路２１ｂｂに接続される配線用導体２１ｃを構成する導体２１ｃａに流れる電流２１ｃａｂと導体２１ｃｂに流れる電流２１ｃｂｂも、同一電流で流れる方向が逆となる。導体２１ｃａと導体２１ｃｂの面積および対向する面積は、電流が流れる経路２１ａａと経路２１ｂａの同等面積以上および対向する同等面積以上で構成されているため、その自己インダクタンスは経路２１ａａと経路２１ｂａの自己インダクタンス同等以下となり、負の相互インダクタンスは経路２１ａａと経路２１ｂａの負の相互インダクタンスと同等以上となる。そのため導体２１ｃａと導体２１ｃｂの実際のインダクタンスは、経路２１ａａと経路２１ｂａの実際のインダクタンス同等以下となる。
【００４４】
したがって経路２１ａｂおよび経路２１ｂｂの寄生インダクタンスは、経路２１ａａと経路２１ｂａの寄生インダクタンスとほぼ同一となり、駆動電流により発生するリンギング電圧もほぼ同一となる。そのため経路２１ａａおよびフレキシブル接続基板４１１を経由して走査電極群１１に印加される電圧波形と、経路２１ａｂおよびフレキシブル接続基板４１２を経由して走査電極群１１に印加される電圧波形とはほぼ同一電圧波形となり、パネル１０の輝度段差は発生しない。またリンギング電圧が減少するため、パネル１０の動作マージンも改善される。
【００４５】
以上、説明したように、本実施の形態によれば、負の相互インダクタンスを有する配線用導体を駆動回路基板に接続することで、駆動電流を供給する回路基板の面積を大きくすることなく、また高価な多層基板を使用しなくても、配線パターンの寄生インダクタンスを実質的に低減することが可能である。これによって、配線パターンの配線差によるパネルの輝度段差がなく、またパネルの動作マージンが大きいプラズマディスプレイ装置を構成することが可能である。
【００４６】
なお、上述の説明においては走査電極駆動回路における実施例を示しているが、維持電極駆動回路においても同様に実施可能である。
また、図１においては、配線用導体２１ｃを経路２１ａｂおよび経路２１ｂｂにのみ適用しているが、経路２１ａａおよび経路２１ｂａにも適用することで、さらに駆動電流によるリンギング電圧を減少させパネルの動作マージンをさらに改善できる。
【００４７】
また、図１においては異なる配線用導体２１ｃが駆動回路基板に垂直に実装される例を示しているが、図３に示すように駆動回路基板の裏面配線側に実装されてもよい。図４は、この場合の導体２１ｃの構成例を示す図である。
【００４８】
なお、上述の説明においては負の相互インダクタンスを生じる条件として、配線用導体を構成する２つの導体の互いに対向する面積を配線２１ａ及び配線２１ｂの面積より大きくする事例を説明しているが、これに限られない。例えば、相互インダクタンスの大きさは、配線用導体を構成する２つの導体の対向する距離によっても反比例するので距離を小さくすることで、たとえ対向する面積が小さくても負の相互インダクタンスを大きくすることは可能である。
【００４９】
また、配線用導体を構成する２つの導体の自己インダクタンスを小さくする、たとえば導体厚みを厚くすることによって配線用導体の実際のインダクタンスを低減でき、抵抗分も減少し、電圧降下分を低減できる。
【００５０】
なお、上述の説明においては配線用導体が１対の導体で構成される例を示しているが、さらに対向する導体数を増加させることで、自己インダクタンスおよび相互インダクタンスがさらに低減される。
【００５１】
また、配線用導体の各対向する導体の間に絶縁物を挿入することで各導体間の短絡が防止できると共に、２つの導体を互いに近接して設けることができるため、駆動回路基板への実装面積も減少する。配線用導体は、互いに絶縁され、相対する２つの導体のそれぞれに逆電流を流して、負の相互インダクタンスを構成する。そこで、配線用導体として、多層基板を使用することで、より小さく実装可能である。
【００５２】
なお、配線用導体は、図５に示すように折り返し部を有するように構成されてもよい。配線用導体２１ｃは、折り返し部を有することで、折り返し部分を挟んだ両側において電流２１ｃ１と電流２１ｃ２、および、電流２１ｃ２と電流２１ｃ３、および、電流２１ｃ３と電流２１ｃ４は、それぞれ同一電流で流れる方向が逆方向になる。これによって、負の相互インダクタンスＭｃ１２およびＭｃ２３およびＭｃ３４が形成される。そのため配線用導体２１ｃは、それ自身で負の相互インダクタンスが形成されるため実際のインダクタンスが小さくなる。
【００５３】
また、配線用導体２１ｃは図６に示すように各々折り返し部を有するとともに、電流が逆方向に流れる導体２１ｃａおよび導体２１ｃｂにより構成されてもよい。各々が負の相互インダクタンスを有するだけでなく、各導体間にても負の相互インダクタンスが構成されるのでさらに実際のインダクタンスが低減される。
また、上記は多層基板により構成されてもよい。
【００５４】
（実施の形態２）
図７は、本発明の実施の形態２における走査電極駆動回路基板２１の維持パルス発生回路の基板実装例である。配線用導体２１ｃは、走査電極駆動回路基板２１内の導体とは別に設けられた配線用導体である。なお、従来例と同一の機能および動作を表す部分については、同一の符号を附して説明は省略する。図８は、配線用導体２１ｃの構成例を示す図である。配線用導体２１ｃは、その始端および終端を配線２１ａ内の経路２１ａｂと接続される導体であり、矢印２１ｃａｂは、配線用導体２１ｃを流れる電流の経路およびその電流の方向を示している。なお、配線用導体２１ｃは、走査電極駆動回路基板２１の裏面配線経路２１ｂｂを構成する導体面と同等の面積を有し相対するように配置される。
【００５５】
図７においても図１と同様に、スイッチ素子ＳＷ２１１からの駆動電流は、配線２１ａ内を経路２１ａａおよびフレキシブル接続基板４１１を経由して走査電極群１１に供給される。一方、経路２１ａｂを経由する経路は、経路２１ａｂに接続される配線用導体２１ｃを経由してフレキシブル接続基板４１２に接続される。走査電極群１１に供給された電流はパネル１０および維持電極群１２およびフレキシブル接続基板４２および維持電極駆動回路基板３１内に実装されるスイッチ素子ＳＷ３１２およびシャーシを経由して配線２１ｂ内の経路２１ｂａおよび経路２１ｂｂを通りスイッチ素子ＳＷ２１２のＧｎｄに流れる。
【００５６】
このとき配線２１ａ内の経路２１ａａを流れる電流と配線２１ｂ内の経路２１ｂａを流れる電流は同一電流であるが、流れる方向が逆になる。そのため配線２１ａと配線２１ｂ内の経路２１ａａと経路２１ｂａの実際のインダクタンスが大きく減少する。
【００５７】
また経路２１ａｂに接続される配線用導体２１ｃの経路２１ｃａｂと配線２１ｂ内の経路２１ｂｂの電流も、同一電流で、流れる方向が逆方向となる。そのため負の相互インダクタンスが発生し、経路２１ａｂおよび経路２１ｃａｂと経路２１ｂｂの寄生インダクタンスは経路２１ａａと経路２１ｂａの寄生インダクタンスとほぼ同一となり、駆動電流により発生するリンギング電圧もほぼ同一となる。
【００５８】
そのため経路２１ａａおよびフレキシブル接続基板４１１を経由して走査電極群１１に印加される電圧波形と、経路２１ａｂおよび経路２１ｃａｂおよびフレキシブル接続基板４１２を経由して走査電極群１１に印加される電圧波形とはほぼ同一電圧波形となり、パネル１０の輝度段差は発生しない。またリンギング電圧が減少するため、パネル１０の動作マージンも改善される。
【産業上の利用可能性】
【００５９】
本発明によれば、回路基板内の導体とは別に配線用導体を設けることで、駆動電流を供給する回路基板の面積を大きくすることなく、また高価な多層基板を使用しなくても、配線パターンの寄生インダクタンスを実質的に低減することができる。そこで、配線パターンの配線差によるパネルの輝度段差がなく、またパネルの動作マージンが大きなプラズマディスプレイ装置として有用である。
【符号の説明】
【００６０】
１０  パネル
１１  走査電極群
１２  維持電極群
２１  走査電極駆動回路基板
２１３  ヒートシンク
２１４  電圧発生回路
２１ａ  表面配線
２１ａａ，２１ａｂ  経路
２１ｂ  裏面配線
２１ｂａ，２１ｂｂ  経路
２１ｃ  配線用導体
２１ｃａ，２１ｃｂ  導体
２１ｃ１，２１ｃ２，２１ｃ３，２１ｃ４，２１ｃａｂ，２１ｃｂｂ  電流の方向
４１，４１１，４１２，４２  フレキシブル接続基板
Ｃ１０  パネル容量
Ｍｃ１２，Ｍｃ２３，Ｍｃ３４  負の相互インダクタンス
ＳＷ２１１，ＳＷ２１２，ＳＷ３１１，ＳＷ３１２  スイッチ素子
【図１】
2010256398.tif 000003
【図２】
2010256398.tif 000004
【図３】
2010256398.tif 000005
【図４】
2010256398.tif 000006
【図５】
2010256398.tif 000007
【図６】
2010256398.tif 000008
【図７】
2010256398.tif 000009
【図８】
2010256398.tif 000010
【図９】
2010256398.tif 000011
【図１０】
2010256398.tif 000012
【図１１】
2010256398.tif 000013
【図１２】
2010256398.tif 000014
【図１３】
2010256398.tif 000015